(57)【要約】【課題】  新設ノードの最適化された自動組み込みを可能にする。【解決手段】  ＩＭＳ網においてネットワークを構成する複数のノード１０を備える通信システム１００において、ノード１０が、ＩＭＳ網に新規に追加された新設ノード２０が隣接する場合に、既呼処理によりＳＩＰ信号に付与されたリクエスト送信の経路情報に基づいて、新設ノード２０の局情報を他のノード１０に配信する新設ノード情報配信手段１０１を備える。【選択図】  図２
2014121004.tif 000002
【特許請求の範囲】
【請求項１】
ＩＭＳ網においてネットワークを構成する複数のノードを備える通信システムであって、
前記ノードが、
前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信手段を備える
ことを特徴とする通信システム。
【請求項２】
前記ノードが、
既呼処理によりＳＩＰ信号に付与されたリクエスト送信の経路情報を統計的に評価して、中継回数がより少なくなる経路情報を配信ルート情報として構築する配信ルート情報構築手段を備え、
前記新設ノード情報配信手段が、
前記配信ルート情報に基づいて、当該配信ルート情報と前記新設ノードの局情報とを含むＳＩＰメッセージを、他のノードへ送信する
ことを特徴とする請求項１に記載の通信システム。
【請求項３】
前記ノードが、
前記新設ノードの局情報の配信元であるノードから前記ＳＩＰメッセージを受信した場合、前記配信ルート情報が最適であるか否かを評価する配信ルート情報評価手段を備え、
前記配信ルート情報評価手段が、
前記配信ルート情報が最適でないと評価した場合、最適な配信先の前記ノードを特定し、前記配信元のノードに対して、再配信先を指定した上で再配信の指示を行う
ことを特徴とする請求項２に記載の通信システム。
【請求項４】
前記配信ルート情報評価手段は、
前記配信ルート情報で示されたルートの中継回数が最小であるか否かを判断することにより、前記配信ルート情報が最適であるか否かを評価する
ことを特徴とする請求項３に記載の通信システム。
【請求項５】
前記配信ルート情報評価手段は、
既呼処理によりＳＩＰ信号に付与されたリクエスト送信の経路情報を集計して生成されたルート情報のうち、中継回数が最小のルート情報と、前記配信ルート情報とを比較して、前記配信ルート情報が最適であるか否かを評価する
ことを特徴とする請求項４に記載の通信システム。
【請求項６】
前記配信ルート情報構築手段が、
前記配信ルート情報評価手段より再配信の指示を受けた場合、指定された再配信先の情報に基づいて前記配信ルート情報を再構築し、
前記新設ノード情報配信手段が、
再構築された前記配信ルート情報に基づいて、当該配信ルート情報と前記新設ノードの局情報とを含むＳＩＰメッセージを、他のノードへ送信する
ことを特徴とする請求項３から請求項５に記載の通信システム。
【請求項７】
前記新設ノードが、
自ノードの認証処理のために必要な認証情報を隣接ノードに送信する認証情報送信手段と、
認証に成功した場合に、自ノードの局情報を前記隣接ノードに送信する局情報送信手段とを備え、
前記ノードが、
前記認証情報を受信した場合、Ｄｉｇｅｓｔ認証を用いて、チャレンジ／レスポンスでノード認証を実施する認証手段を備える
ことを特徴とする請求項１から請求項６の何れか１項に記載の通信システム。
【請求項８】
ＩＭＳ網においてネットワークを構成する複数のノードを備える通信システムにおけるノードであって、
前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信手段を備える
ことを特徴とするノード。
【請求項９】
ＩＭＳ網においてネットワークを構成する複数のノードを備える通信システムよる新設ノード認識方法であって、
前記ノードが備える新設ノード情報配信手段が、前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信ステップを有する
ことを特徴とする新設ノード認識方法。
【請求項１０】
ＩＭＳ網においてネットワークを構成する複数のノードを備える通信システムにおいて、当該ノードを構成するコンピュータ上で動作する新設ノード認識プログラムであって、
前記ノードが備える新設ノード情報配信手段に、前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信処理を実行させる
ことを特徴とする新設ノード認識プログラム。
【発明の詳細な説明】
【技術分野】
【０００１】
本発明は、ＩＭＳ（ＩＰ  ｍｕｌｔｉｍｅｄｉａ  ｓｕｂｓｙｓｔｅｍ）に関し、特に、新設ノードの認識を行う技術に関する。
【背景技術】
【０００２】
ＩＰ（Ｉｎｔｅｒｎｅｔ  Ｐｒｏｔｏｃｏｌ：インターネットプロトコル）ネットワーク上で呼処理制御を実現する技術として、ＶｏＩＰ（Ｖｏｉｃｅ  ｏｖｅｒ  Ｉｎｔｅｒｎｅｔ  Ｐｒｏｔｏｃｏｌ）システムが挙げられる。ＶｏＩＰシステムでは、扱うサービスの多様化および大容量化に伴い、ＩＭＳアーキテクチャを採用するのが現在の主流になりつつある。
【０００３】
ＩＭＳアーキテクチャでは、呼処理を実現する各機能ブロックを複数定義している。各サービスプロバイダは、相互接続の観点から、機能ブロック＝物理ノードとして配備することが多い。このため、サービス展開においては、複数物理ノードが、各拠点へ配備されることとなる。
【０００４】
電話サービスにおいては、確実に繋がる信頼性がエンドユーザの最低限の要求であるため、ＩＭＳ網を用いた通信システムにおいても、該要求を満たす必要がある。
【先行技術文献】
【特許文献】
【０００５】
【特許文献１】特開２００９−２４６５２２号公報
【特許文献２】特開２００９−２１９０５８号公報
【特許文献３】再表２００８／１２９８９４号公報
【特許文献４】特開２００７−０８８６０７号公報
【発明の概要】
【発明が解決しようとする課題】
【０００６】
ＩＭＳ網を用いた通信システムでは、新設ノードを追加する場合、システム全体の呼処理信号ルーティングの設計を手動で行うため、運用者コストが膨大となっていた。また、手動による設計ミスの発生リスクも高まるという問題があった。
【０００７】
（発明の目的）
本発明の目的は、上述の課題を解決し、新設ノードの最適化された自動組み込みを可能にする通信システム、ノード、新設ノード認識方法、及び新設ノード認識プログラムを提供することである。
【課題を解決するための手段】
【０００８】
本発明の第１の通信システムは、ＩＭＳ網においてネットワークを構成する複数のノードを備える通信システムであって、ノードが、ＩＭＳ網に新規に追加された新設ノードが隣接する場合に、既呼処理によりＳＩＰ信号に付与されたリクエスト送信の経路情報に基づいて、新設ノードの局情報を他のノードに配信する新設ノード情報配信手段を備える。
【０００９】
本発明の第１のノードは、ＩＭＳ網においてネットワークを構成する複数のノードを備える通信システムにおけるノードであって、ＩＭＳ網に新規に追加された新設ノードが隣接する場合に、既呼処理によりＳＩＰ信号に付与されたリクエスト送信の経路情報に基づいて、新設ノードの局情報を他のノードに配信する新設ノード情報配信手段を備える。
【００１０】
本発明の第１の新設ノード認識方法は、ＩＭＳ網においてネットワークを構成する複数のノードを備える通信システムよる新設ノード認識方法であって、ノードが備える新設ノード情報配信手段が、ＩＭＳ網に新規に追加された新設ノードが隣接する場合に、既呼処理によりＳＩＰ信号に付与されたリクエスト送信の経路情報に基づいて、新設ノードの局情報を他のノードに配信する新設ノード情報配信ステップを有する。
【００１１】
本発明の第１の新設ノード認識プログラムは、ＩＭＳ網においてネットワークを構成する複数のノードを備える通信システムにおいて、当該ノードを構成するコンピュータ上で動作する新設ノード認識プログラムであって、ノードが備える新設ノード情報配信手段に、ＩＭＳ網に新規に追加された新設ノードが隣接する場合に、既呼処理によりＳＩＰ信号に付与されたリクエスト送信の経路情報に基づいて、新設ノードの局情報を他のノードに配信する新設ノード情報配信処理を実行させる。
【発明の効果】
【００１２】
本発明によれば、新設ノードの最適化された自動組み込みを可能とすることができる。
【図面の簡単な説明】
【００１３】
【図１】本発明の第１の実施の形態による通信システムの構成を示すブロック図である。
【図２】本発明の第２の実施の形態による通信システムの構成を示すブロック図である。
【図３】本発明の第２の実施の形態による通信システムの配信ルート情報の構成を示す図である。
【図４】本発明の第２の実施の形態による通信システムの新設呼制御装置の認証処理の動作を示すシーケンス図である。
【図５】本発明の第２の実施の形態による通信システムの局情報配信の動作を示すフローチャートである。
【図６】本発明の第２の実施の形態による通信システムの動作を示すシーケンス図である。
【図７】本発明の既設呼制御装置のハードウェア構成例を示すブロック図である。
【発明を実施するための形態】
【００１４】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。なお、すべての図面において、同様な構成要素には同様の符号を付し、適宜説明を省略する。
【００１５】
（第１の実施の形態）
本発明の第１の実施の形態について図面を参照して詳細に説明する。
【００１６】
図１は本発明の第１の実施の形態による通信システム１００の構成を示すブロック図である。図１は、通信システム１００が、複数のノード１０−１〜１０−ｎ（ｎは任意の整数）を備え、新たなノードである新設ノード２０が追加された状態を示す。
【００１７】
なお、図１は例示であって、システム構成を制限するものではない。新設ノード２０は、追加後は既存のノード１０として機能するため、ノード１０と同様の機能も備える。
【００１８】
ノード１０−１は、新設ノード２０から受信した局情報を他のノード１０に配信する新設ノード情報配信手段１０１を備える。なお、他のノード１０−２〜１０−ｎについても、同様の手段を備える。
【００１９】
新設ノード情報配信手段１０１は、既呼処理の配信ルート情報を統計的に評価して、より流量の少ないノード１０−ｎへ呼処理信号が転送されるように、新設ノード２０の局情報を配信する。
【００２０】
（第１の実施の形態による効果）
本実施の形態によれば、ＩＭＳアーキテクチャにより呼制御を実現する通信システムにおいて、新設ノードを追加する際、既呼処理のルートを評価し活用することで、より効率的なルーティングを実現する局データの自動的な構築を実現することができる。
【００２１】
（第２の実施の形態）
次に、本発明の第２の実施の形態について図面を参照して詳細に説明する。
【００２２】
図２は、本発明の第２の実施の形態による通信システム１００の構成を示すブロック図である。なお、図２は例示であって、システム構成を制限するものではない。図２は、通信システム１００が、既設の呼制御装置である複数の既設呼制御装置３０（３０−１〜３０−３）を備え、新たな呼制御装置である新設呼制御装置４０が追加された状態を示す。
【００２３】
なお、図２は例示であって、システム構成を制限するものではない。すなわち、既設呼制御装置３０は任意の台数として構成可能である。また、新設呼制御装置４０は、追加後は既設呼制御装置３０として機能するため、既設呼制御装置３０と同様の機能も備える。
【００２４】
新設呼制御装置４０は、隣接ノード検出手段４０１と、認証情報送信手段４０２と、認証結果受信手段４０３と、局情報送信手段４０４とを備える。
【００２５】
隣接ノード検出手段４０１は、ＩＰ（Ｉｎｔｅｒｎｅｔ  Ｐｒｏｔｃｏｌ）レイヤで隣接するノードを検出する。本実施の形態では、隣接ノードである既設呼制御装置３０−１を検出する。
【００２６】
認証情報送信手段４０２は、自ノードが通信システム１００に追加された際に、自ノードの認証に用いられる情報（認証情報）を、隣接ノードである既設呼制御装置３０−１に送信する。認証情報は例えばシステムコード等、任意な値で良い。
【００２７】
認証結果受信手段４０３は、認証情報を送信した既設呼制御装置３０−１から、認証結果を受信する。
【００２８】
局情報送信手段４０４は、自ノードの認証が成功した場合に、自ノードの局情報を隣接ノードである既設呼制御装置３０−１に送信する。局情報とは、自ノードに関連する情報であり、どのような情報を含めるかは任意に設定可能である。
【００２９】
既設呼制御装置３０−１は、新設呼制御装置４０から認証情報を受信する認証情報受信手段３０１と、新設呼制御装置４０から受信した認証情報を用いて認証を行う認証手段３０２と、認証結果を新設呼制御装置４０に送信する認証結果送信手段３０３と、新設呼制御装置４０から局情報を受信する局情報受信手段３０４と、新設呼制御装置４０から受信した局情報を他の既設呼制御装置３０に配信する新設ノード情報配信手段１０１と、配信ルート情報構築手段３０５とを備える。また、図示は省略するが、既設呼制御装置３０−２、３０−３についても、同様の手段を有する。
【００３０】
認証情報受信手段３０１は、新設呼制御装置４０から認証情報を受信する。
【００３１】
認証手段３０２は、新設ノード２０から受信した認証用情報を用いて、予め規定された認証手順に基づき認証を行い、新設ノード２０の追加可否を判断する。具体的には、認証手段３０２は、ＨＴＴＰの認証方法の１つであるＤｉｇｅｓｔ認証を用いて、チャレンジ／レスポンスでノード認証を実施する。Ｄｉｇｅｓｔ認証そのものについては、当業者にとって周知の技術であり、本発明と直接的には関係しないため、詳細な説明を省略する。なお、Ｄｉｇｅｓｔ認証以外の認証方法を用いることとしても良い。
【００３２】
認証結果送信手段３０３は、認証手段３０２が行った認証の結果を新設呼制御装置４０へ送信する。
【００３３】
配信ルート情報構築手段３０５は、新設呼制御装置４０の局情報を配信する際に用いる配信ルート情報を構築する。配信ルート情報は、既呼処理によるＳＩＰのリクエスト送信の経路情報を集計し、より中継回数が少なくなるように構築したルートであり、次のようにして構築される。ＳＩＰ（Ｓｅｓｓｉｏｎ  Ｉｎｉｔｉａｔｉｏｎ  Ｐｒｏｔｃｏｌ）による呼制御を行う場合、ＳＩＰ信号のヘッダ情報に、リクエスト送信の経路情報が付与される。配信ルート情報構築手段３０５は、この経路情報を集計し、より中継回数が少なくなるような配信ルート情報を構築する。
【００３４】
ここで、構築された配信ルート情報の例を図３に示す。図３の例では、呼制御サーバＢへは呼制御サーバＡを経由すべき旨を、呼制御サーバＣへは呼制御サーバＡ、呼制御サーバＢを経由すべき旨を、それぞれ配信ルート情報において示している。
【００３５】
配信ルート情報構築手段３０５が構築する配信ルート情報は、先に挙げたリクエスト送信の経路情報と同様の様式を採る。これにより、ＳＩＰメッセージ配信リクエストのヘッダ情報に配信ルート情報を付与することが可能となる。そして、配信ルート情報と新設呼制御装置４０の局情報を付与したＳＩＰメッセージ配信リクエストを他の既設呼制御装置３０へ配信することにより、新設呼制御装置４０の局情報を配信することが可能となる。なお、配信ルート情報が構築されるタイミングは、任意のタイミングでよい。すなわち、新設呼制御装置４０から局情報が送られてくるよりも前に構築されていることが望ましいが、これに限定はされず、局情報が送られてきた後に構築することとしてもよい。
【００３６】
新設ノード情報配信手段１０１は、配信ルート情報構築手段３０５により生成された配信ルート情報と、新設呼制御装置４０の局情報とを付与したＳＩＰメッセージを、該配信ルート情報に基づき他の既設呼制御装置３０へ送信する。
【００３７】
既設呼制御装置１０−２、１０−３は、配信ルート情報評価手段３０６を備える。また、図示は省略するが、既設呼制御装置１０−１も同様の手段を備える。すなわち、既設呼制御装置３０−１〜３０−３は、同様の機能を有する。
【００３８】
また、新設呼制御装置４０も、既設呼制御装置３０−１〜３０−３と同様の機能を有する。新設呼制御装置４０は、通信システム１００に追加された後は既設呼制御装置３０として機能するからである。
【００３９】
配信ルート情報評価手段３０６は、新設ノードの局情報を含むＳＩＰメッセージを受信した場合に、該ＳＩＰメッセージに含まれる配信ルート情報が最適であるか否かを評価する。
【００４０】
ここで、配信ルート情報が最適であるか否かは、中継回数が最小であるか否かにより判断される。新設呼制御装置４０を設置する以前、各既設呼制御装置３０は、互いに、呼処理サービスを実施するためにＳＩＰによるメッセージの送受信を行っており（既呼処理）、該ＳＩＰメッセージのヘッダ情報には、リクエスト送信の経路情報が付与されている。そして、各既設呼制御装置３０は、該経路情報を集計することで、中継回数のより少ないルート情報を保持している。配信ルート情報評価手段３０６は、新設呼制御装置４０設置前に集計されたルート情報と、新設呼制御装置４０の局情報を含むＳＩＰメッセージに含まれる配信ルート情報とを比較して、該配信ルート情報が最適か、すなわち配信ルート情報の中継回数が最小であるか否かを判断する。
【００４１】
配信ルート情報が最適でないと評価した場合、配信ルート情報評価手段３０６は、最適な配信先の既設呼制御装置３０−ｎ（ｎは任意の整数）を特定し、該既設呼制御装置３０−ｎへ局情報を配信するように既設呼制御装置３０−１へ指示する。具体的には、配信ルート情報評価手段３０６は、ＳＩＰにおけるリクエストリダイレクションのレスポンスを使用して、配信ルート情報と新設呼制御装置４０の局情報とを含むＳＩＰメッセージの再配信の指示を行う。リクエストリダイレクション時には、リダイレクション先の呼制御装置を指定することが可能となるため、配信元が再配信先を意識することはない（図６）。
【００４２】
再配信の指示を受けた既設呼制御装置３０−１では、配信ルート情報構築手段３０５が、再配信の指示において指定されたリダイレクション先の呼制御装置３０−ｎの情報に基づいて配信ルート情報を再構築し、新設ノード情報配信手段１０１が、再構築後の配信ルート情報と新設呼制御装置４０の局情報とを含むＳＩＰメッセージを、該再構築後の配信ルート情報に基づき既設呼制御装置３０−ｎへ送信する。
【００４３】
（第２の実施の形態の動作の説明）
次に、本実施の形態による通信システム１００の動作について、図面を参照して詳細に説明する。
【００４４】
まず、図４のシーケンス図を参照して、本実施の形態による通信システム１００における新設呼制御装置４０の認証処理を説明する。
【００４５】
図４を参照すると、新設呼制御装置４０の隣接ノード検出手段４０１が、ＩＰ（Ｉｎｔｅｒｎｅｔ  Ｐｒｏｔｃｏｌ）レイヤで隣接する既設呼制御装置３０−１を検出する。
【００４６】
隣接ノードである既設呼制御装置３０−１を検出した後、新設呼制御装置４０の認証情報送信手段４０２が、認証情報としてシステムコード（任意値）を付与した通知を該既設呼制御装置３０−１に送信する（ステップＳ４０１）。
【００４７】
新設呼制御装置４０から通知を受信した既設呼制御装置３０−１では、認証手段３０２が、ＨＴＴＰ  Ｄｉｇｅｓｔに従いチャレンジ／レスポンスでノード認証を実施し、認証結果送信手段３０３が、認証結果を新設呼制御装置４０に送信する（ステップＳ４０２〜Ｓ４０４）。
【００４８】
認証が成功すると、新設呼制御装置４０の局情報送信手段４０４が、自局の所定の情報を付加した通知を既設呼制御装置３０−１に送信する（ステップＳ４０５）。
【００４９】
次いで、新設呼制御装置４０の局情報の配信処理を、図５のフローチャートを参照して説明する。
【００５０】
新設呼制御装置４０の局情報を受信後、既設呼制御装置３０−１の配信ルート情報構築手段３０５が、新設呼制御装置４０の局情報を配信する際に用いる配信ルート情報を構築する（ステップＳ５０１）。
【００５１】
次いで、新設ノード情報配信手段１０１が、配信ルート情報と、新設呼制御装置４０の局情報とを付与したＳＩＰメッセージを、該配信ルート情報に基づき他の既設呼制御装置３０へ送信する（ステップＳ５０２）。
【００５２】
配信ルート情報を受け取った既設呼制御装置３０では、配信ルート情報評価手段３０６が、該配信ルート情報が最適であるか否かを評価する（ステップＳ５０３）。
【００５３】
配信ルート情報が最適であると評価された場合（ステップＳ５０４”ＹＥＳ”）、該配信ルート情報に基づき、配信ルート情報と、新設呼制御装置４０の局情報とを付与したＳＩＰメッセージを他の既設呼制御装置３０へ送信する（ステップＳ５０５）。
【００５４】
一方、配信ルート情報が最適でないと評価された場合（ステップＳ５０４”ＮＯ”）、配信ルート情報評価手段３０６は、最適な配信先の既設呼制御装置３０を特定し、該既設呼制御装置３０へ局情報を配信するように配信元の既設呼制御装置３０へ指示する（ステップＳ５０６）。
【００５５】
再配信の指示を受けた配信元の既設呼制御装置３０では、配信ルート情報構築手段３０５が、再配信の指示において指定されたリダイレクション先の情報に基づいて、配信ルート情報を再構築し（ステップＳ５０７）、新設ノード情報配信手段１０１が、再構築後の配信ルート情報と新設呼制御装置４０の局情報とを含むＳＩＰメッセージを、該再構築後の配信ルート情報に基づき他の既設呼制御装置３０へ送信する（ステップＳ５０８）。
【実施例１】
【００５６】
次に、具体的な実施例を用いて本実施の形態を説明する。
【００５７】
本実施例では、通信システム１００が、既設呼制御装置３０−１〜３０−４と、新設呼制御装置４０とを備える。各装置の機能については、第２の実施の形態と同様であるため、詳細は省略する。
【００５８】
図６は、本実施例の通信システム１００における、新設呼制御装置４０の局情報の配信処理を示すシーケンス図である。なお、新設呼制御装置４０の認証処理については説明を省略する。
【００５９】
図６を参照すると、まず、既設呼制御装置３０−１の配信ルート情報構築手段３０５が、新設呼制御装置４０の局情報を配信する際に用いる配信ルート情報を構築し、新設ノード情報配信手段１０１が、配信ルート情報と、新設呼制御装置４０の局情報とを付与したＳＩＰメッセージを、該配信ルート情報に基づき既設呼制御装置３０−２へ送信する（ステップＳ６０１）。この時、配信ルート情報は、「３０−２、３０−４」となっている。
【００６０】
配信ルート情報を受け取った既設呼制御装置３０−２では、配信ルート情報評価手段３０６が、該配信ルート情報が最適であるか否かを評価する。
【００６１】
配信ルート情報が最適であると評価された場合、該配信ルート情報に基づき、配信ルート情報と、新設呼制御装置４０の局情報とを付与したＳＩＰメッセージが既設呼制御装置３０−４へ送信される（ステップＳ６０２）。
【００６２】
一方、配信ルート情報が最適でないと評価された場合、配信ルート情報評価手段３０６は、最適な配信先の既設呼制御装置３０として既設呼制御装置３０−３を特定し、該既設呼制御装置３０−３へ局情報を配信するように配信元の既設呼制御装置３０−１へ指示する（ステップＳ６０３）。
【００６３】
再配信の指示を受けた配信元の既設呼制御装置３０−１では、配信ルート情報構築手段３０５が、再配信の指示において指定されたリダイレクション先のの情報に基づいて、配信ルート情報を再構築する。そして、新設ノード情報配信手段１０１が、再構築後の配信ルート情報と新設呼制御装置４０の局情報とを含むＳＩＰメッセージを、該再構築後の配信ルート情報に基づき既設呼制御装置３０−３へ送信する（ステップＳ６０４）。この時、配信ルート情報は、「３０−３、３０−４」となっている。
【００６４】
次いで、既設呼制御装置３０−３から既設呼制御装置３０−４へＳＩＰメッセージが送信される（ステップＳ６０５）。
【００６５】
（第２の実施の形態による効果）
本実施の形態によれば、新設呼制御装置をシステムに追加した際、運用者が呼制御装置固有の仕様を理解していなくても隣接ノードへの組み込みができ、システム全体の再設計を実施することなく、最適化された組み込みが自動化できることにある。その理由は、新設呼制御装置システムから各既設呼制御装置へと局情報を配信することが可能であるためである。
【００６６】
また、本実施の形態によれば、局情報の配信先ノードで配信ルート情報を再評価し、配信元へ別ノードへの配信を促すことで、システム全体での効率的なルーティングの実現が可能となる。
【００６７】
次に、本発明の既設呼制御装置３０のハードウェア構成例について、図７を参照して説明する。図７は、新設呼制御装置４０及び既設呼制御装置３０のハードウェア構成例を示すブロック図である。
【００６８】
図７を参照すると、本発明の既設呼制御装置３０は、一般的なコンピュータ装置と同様のハードウェア構成であり、ＣＰＵ（Ｃｅｎｔｒａｌ  Ｐｒｏｃｅｓｓｉｎｇ  Ｕｎｉｔ）７０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部７０２、ネットワークを介してデータの送受信を行う通信部７０３、入力装置７０５や出力装置７０６及び記憶装置７０７と接続してデータの送受信を行う入出力インタフェース部７０４、上記各構成要素を相互に接続するシステムバス７０８を備えている。記憶装置７０７は、例えば、ＲＯＭ（Ｒｅａｄ  Ｏｎｌｙ  Ｍｅｍｏｒｙ）、磁気ディスク、半導体メモリ等の不揮発性メモリから構成されるハードディスク装置等で実現される。
【００６９】
本発明の既設呼制御装置３０の各機能は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置７０７に格納し、そのプログラムを主記憶部７０２にロードしてＣＰＵ７０１で実行することにより、ソフトウェア的に実現することも可能である。
【００７０】
また、本発明の新設呼制御装置４０も、上記のようなハードウェア構成を有し、新設呼制御装置４０が有する各機能をハードウェア的又はソフトウェア的に実現する。
【００７１】
以上、好ましい実施の形態をあげて本発明を説明したが、本発明は必ずしも、上記実施の形態に限定されるものでなく、その技術的思想の範囲内において様々に変形して実施することができる。
【００７２】
なお、以上の構成要素の任意の組み合わせ、本発明の表現を方法、装置、システム、記録媒体、コンピュータプログラムなどの間で変換したものもまた、本発明の態様として有効である。
【００７３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００７４】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【００７５】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００７６】
さらに、上記実施形態の一部又は全部は、以下の付記のようにも記載されうるが、これに限定されない。
【００７７】
（付記１）
ＩＭＳ網においてネットワークを構成する複数のノードを備える通信システムであって、
前記ノードが、
前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信手段を備える
ことを特徴とする通信システム。
【００７８】
（付記２）
前記ノードが、
既呼処理によりＳＩＰ信号に付与されたリクエスト送信の経路情報を統計的に評価して、中継回数がより少なくなる経路情報を配信ルート情報として構築する配信ルート情報構築手段を備え、
前記新設ノード情報配信手段が、
前記配信ルート情報に基づいて、当該配信ルート情報と前記新設ノードの局情報とを含むＳＩＰメッセージを、他のノードへ送信する
ことを特徴とする付記１に記載の通信システム。
【００７９】
（付記３）
前記ノードが、
前記新設ノードの局情報の配信元であるノードから前記ＳＩＰメッセージを受信した場合、前記配信ルート情報が最適であるか否かを評価する配信ルート情報評価手段を備え、
前記配信ルート情報評価手段が、
前記配信ルート情報が最適でないと評価した場合、最適な配信先の前記ノードを特定し、前記配信元のノードに対して、再配信先を指定した上で再配信の指示を行う
ことを特徴とする付記２に記載の通信システム。
【００８０】
（付記４）
前記配信ルート情報評価手段は、
前記配信ルート情報で示されたルートの中継回数が最小であるか否かを判断することにより、前記配信ルート情報が最適であるか否かを評価する
ことを特徴とする付記３に記載の通信システム。
【００８１】
（付記５）
前記配信ルート情報評価手段は、
既呼処理によりＳＩＰ信号に付与されたリクエスト送信の経路情報を集計して生成されたルート情報のうち、中継回数が最小のルート情報と、前記配信ルート情報とを比較して、前記配信ルート情報が最適であるか否かを評価する
ことを特徴とする付記４に記載の通信システム。
【００８２】
（付記６）
前記配信ルート情報構築手段が、
前記配信ルート情報評価手段より再配信の指示を受けた場合、指定された再配信先の情報に基づいて前記配信ルート情報を再構築し、
前記新設ノード情報配信手段が、
再構築された前記配信ルート情報に基づいて、当該配信ルート情報と前記新設ノードの局情報とを含むＳＩＰメッセージを、他のノードへ送信する
ことを特徴とする付記３から付記５に記載の通信システム。
【００８３】
（付記７）
前記新設ノードが、
自ノードの認証処理のために必要な認証情報を隣接ノードに送信する認証情報送信手段と、
認証に成功した場合に、自ノードの局情報を前記隣接ノードに送信する局情報送信手段とを備え、
前記ノードが、
前記認証情報を受信した場合、Ｄｉｇｅｓｔ認証を用いて、チャレンジ／レスポンスでノード認証を実施する認証手段を備える
ことを特徴とする付記１から付記６の何れか１項に記載の通信システム。
【００８４】
（付記８）
ＩＭＳ網においてネットワークを構成する複数のノードを備える通信システムにおけるノードであって、
前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信手段を備える
ことを特徴とするノード。
【００８５】
（付記９）
既呼処理によりＳＩＰ信号に付与されたリクエスト送信の経路情報を統計的に評価して、中継回数がより少なくなる経路情報を配信ルート情報として構築する配信ルート情報構築手段を備え、
前記新設ノード情報配信手段が、
前記配信ルート情報に基づいて、当該配信ルート情報と前記新設ノードの局情報とを含むＳＩＰメッセージを、他のノードへ送信する
ことを特徴とする付記８に記載のノード。
【００８６】
（付記１０）
前記新設ノードの局情報の配信元であるノードから前記ＳＩＰメッセージを受信した場合、前記配信ルート情報が最適であるか否かを評価する配信ルート情報評価手段を備え、
前記配信ルート情報評価手段が、
前記配信ルート情報が最適でないと評価した場合、最適な配信先の前記ノードを特定し、前記配信元のノードに対して、再配信先を指定した上で再配信の指示を行う
ことを特徴とする付記９に記載のノード。
【００８７】
（付記１１）
前記配信ルート情報評価手段は、
前記配信ルート情報で示されたルートの中継回数が最小であるか否かを判断することにより、前記配信ルート情報が最適であるか否かを評価する
ことを特徴とする付記１０に記載の通信システム。
【００８８】
（付記１２）
前記配信ルート情報評価手段は、
既呼処理によりＳＩＰ信号に付与されたリクエスト送信の経路情報を集計して生成されたルート情報のうち、中継回数が最小のルート情報と、前記配信ルート情報とを比較して、前記配信ルート情報が最適であるか否かを評価する
ことを特徴とする付記１１に記載のノード。
【００８９】
（付記１３）
前記配信ルート情報構築手段が、
前記配信ルート情報評価手段より再配信の指示を受けた場合、指定された再配信先の情報に基づいて前記配信ルート情報を再構築し、
前記新設ノード情報配信手段が、
再構築された前記配信ルート情報に基づいて、当該配信ルート情報と前記新設ノードの局情報とを含むＳＩＰメッセージを、他のノードへ送信する
ことを特徴とする付記１０から付記１２に記載のノード。
【００９０】
（付記１４）
前記新設ノードの認証処理のために必要な認証情報を当該新設ノードから受信した場合、Ｄｉｇｅｓｔ認証を用いて、チャレンジ／レスポンスでノード認証を実施する認証手段を備える
ことを特徴とする付記８から付記１３の何れか１項に記載のノード。
【００９１】
（付記１５）
ＩＭＳ網においてネットワークを構成する複数のノードを備える通信システムよる新設ノード認識方法であって、
前記ノードが備える新設ノード情報配信手段が、前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信ステップを有する
ことを特徴とする新設ノード認識方法。
【００９２】
（付記１６）
前記ノードが備える配信ルート情報構築手段が、既呼処理によりＳＩＰ信号に付与されたリクエスト送信の経路情報を統計的に評価して、中継回数がより少なくなる経路情報を配信ルート情報として構築する配信ルート情報構築ステップを有し、
前記新設ノード情報配信ステップで、
前記配信ルート情報に基づいて、当該配信ルート情報と前記新設ノードの局情報とを含むＳＩＰメッセージを、他のノードへ送信する
ことを特徴とする付記１５に記載の新設ノード認識方法。
【００９３】
（付記１７）
前記ノードが備える配信ルート情報評価手段が、前記新設ノードの局情報の配信元であるノードから前記ＳＩＰメッセージを受信した場合、前記配信ルート情報が最適であるか否かを評価する配信ルート情報評価ステップを有し、
前記配信ルート情報評価ステップで、
前記配信ルート情報が最適でないと評価した場合、最適な配信先の前記ノードを特定し、前記配信元のノードに対して、再配信先を指定した上で再配信の指示を行う
ことを特徴とする付記１６に記載の新設ノード認識方法。
【００９４】
（付記１８）
前記配信ルート情報評価ステップで、
前記配信ルート情報で示されたルートの中継回数が最小であるか否かを判断することにより、前記配信ルート情報が最適であるか否かを評価する
ことを特徴とする付記１７に記載の新設ノード認識方法。
【００９５】
（付記１９）
前記配信ルート情報評価ステップで、
既呼処理によりＳＩＰ信号に付与されたリクエスト送信の経路情報を集計して生成されたルート情報のうち、中継回数が最小のルート情報と、前記配信ルート情報とを比較して、前記配信ルート情報が最適であるか否かを評価する
ことを特徴とする付記１８に記載の新設ノード認識方法。
【００９６】
（付記２０）
前記配信ルート情報構築ステップで、
前記配信ルート情報評価手段より再配信の指示を受けた場合、指定された再配信先の情報に基づいて前記配信ルート情報を再構築し、
前記新設ノード情報配信ステップで、
再構築された前記配信ルート情報に基づいて、当該配信ルート情報と前記新設ノードの局情報とを含むＳＩＰメッセージを、他のノードへ送信する
ことを特徴とする付記１７から付記１９に記載の新設ノード認識方法。
【００９７】
（付記２１）
前記新設ノードが備える認証情報送信手段が、自ノードの認証処理のために必要な認証情報を隣接ノードに送信する認証情報送信ステップと、
前記新設ノードが備える局情報送信手段が、認証に成功した場合に、自ノードの局情報を前記隣接ノードに送信する局情報送信ステップと、
前記ノードが備える認証手段が、前記認証情報を受信した場合、Ｄｉｇｅｓｔ認証を用いて、チャレンジ／レスポンスでノード認証を実施する認証ステップと
を有することを特徴とする付記１５から付記２０の何れか１項に記載の新設ノード認識方法。
【００９８】
（付記２２）
ＩＭＳ網においてネットワークを構成する複数のノードを備える通信システムにおいて、当該ノードを構成するコンピュータ上で動作する新設ノード認識プログラムであって、
前記ノードが備える新設ノード情報配信手段に、前記ＩＭＳ網に新規に追加された新設ノードが隣接する場合に、既呼処理によりＳＩＰ信号に付与されたリクエスト送信の経路情報に基づいて、前記新設ノードの局情報を他の前記ノードに配信する新設ノード情報配信処理を実行させる
ことを特徴とする新設ノード認識プログラム。
【００９９】
（付記２３）
前記ノードが備える配信ルート情報構築手段に、既呼処理によりＳＩＰ信号に付与されたリクエスト送信の経路情報を統計的に評価して、中継回数がより少なくなる経路情報を配信ルート情報として構築する配信ルート情報構築処理を実行させ、
前記新設ノード情報配信処理で、
前記配信ルート情報に基づいて、当該配信ルート情報と前記新設ノードの局情報とを含むＳＩＰメッセージを、他のノードへ送信する
ことを特徴とする付記２２に記載の新設ノード認識プログラム。
【０１００】
（付記２４）
前記ノードが備える配信ルート情報評価手段に、前記新設ノードの局情報の配信元であるノードから前記ＳＩＰメッセージを受信した場合、前記配信ルート情報が最適であるか否かを評価する配信ルート情報評価処理を実行させ、
前記配信ルート情報評価処理で、
前記配信ルート情報が最適でないと評価した場合、最適な配信先の前記ノードを特定し、前記配信元のノードに対して、再配信先を指定した上で再配信の指示を行う
ことを特徴とする付記２３に記載の新設ノード認識プログラム。
【０１０１】
（付記２５）
前記配信ルート情報評価処理で、
前記配信ルート情報で示されたルートの中継回数が最小であるか否かを判断することにより、前記配信ルート情報が最適であるか否かを評価する
ことを特徴とする付記２４に記載の新設ノード認識プログラム。
【０１０２】
（付記２６）
前記配信ルート情報評価処理で、
既呼処理によりＳＩＰ信号に付与されたリクエスト送信の経路情報を集計して生成されたルート情報のうち、中継回数が最小のルート情報と、前記配信ルート情報とを比較して、前記配信ルート情報が最適であるか否かを評価する
ことを特徴とする付記２５に記載の新設ノード認識プログラム。
【０１０３】
（付記２７）
前記配信ルート情報構築処理で、
前記配信ルート情報評価手段より再配信の指示を受けた場合、指定された再配信先の情報に基づいて前記配信ルート情報を再構築し、
前記新設ノード情報配信処理で、
再構築された前記配信ルート情報に基づいて、当該配信ルート情報と前記新設ノードの局情報とを含むＳＩＰメッセージを、他のノードへ送信する
ことを特徴とする付記２４から付記２６に記載の新設ノード認識プログラム。
【０１０４】
（付記２８）
前記新設ノードが備える認証情報送信手段に、自ノードの認証処理のために必要な認証情報を隣接ノードに送信する認証情報送信処理を実行させ、
前記新設ノードが備える局情報送信手段に、認証に成功した場合に、自ノードの局情報を前記隣接ノードに送信する局情報送信処理を実行させ、
前記ノードが備える認証手段に、前記認証情報を受信した場合、Ｄｉｇｅｓｔ認証を用いて、チャレンジ／レスポンスでノード認証を実施する認証処理を実行させる
ことを特徴とする付記２２から付記２７の何れか１項に記載の新設ノード認識プログラム。
【符号の説明】
【０１０５】
１０（１０−１〜１０−ｎ）：ノード
２０：新設ノード
３０（３０−１〜３０−ｎ）：既設呼制御装置
４０：新設呼制御装置
１００：通信システム
１０１：新設ノード情報配信手段
３０１：認証情報受信手段
３０２：認証手段
３０３：認証結果送信手段
３０４：局情報受信手段
３０５：配信ルート情報構築手段
３０６：配信ルート情報評価手段
４０１：隣接ノード検出手段
４０２：認証情報送信手段
４０３：認証結果受信手段
４０４：局情報送信手段
７０１：ＣＰＵ
７０２：主記憶部
７０３：通信部
７０４：入出力インタフェース部
７０５：入力装置
７０６：出力装置
７０７：記憶装置
７０８：システムバス
【図１】
2014121004.tif 000003
【図２】
2014121004.tif 000004
【図３】
2014121004.tif 000005
【図４】
2014121004.tif 000006
【図５】
2014121004.tif 000007
【図６】
2014121004.tif 000008
【図７】
2014121004.tif 000009